(57)【要約】【課題】削り滓の収集機能を確保できる切削装置を提供する。【解決手段】内部空間２０を囲む内周面２２を有するハウジング２と、内部空間２０内に収容されるようにハウジング２に取り付けられるフレーム１と、フレーム１に取り付けられると共に、鉛筆を削るよう切削できるカッター手段５００と、を備え、フレーム１は、内周面２２に臨む周壁１２５と、ハウジング２の内周面２２に当接するように周壁１２５から突起し、フレーム１をハウジング２に位置付けする少なくとも１つの当接突起１４０と、を有している。【選択図】図２
0003211331.tif 000002
【実用新案登録請求の範囲】
【請求項１】
内部空間を囲む内周面を有するハウジングと、
前記内部空間内に収容されるように前記ハウジングに取り付けられるフレームと、
前記フレームに取り付けられると共に、鉛筆の軸を切削できるカッター手段と、を備え、
前記フレームは、
前記内周面に臨む周壁と、
前記ハウジングの前記内周面に当接するように前記周壁から突起し、前記フレームを前記ハウジングに位置付けする少なくとも１つの当接突起と、を有していることを特徴とする切削装置。
【請求項２】
前記ハウジングの一端部に前記内部空間と連通する受入口が形成されており、
前記フレームは前記受入口を経由して前記内部空間内に収容されており、
前記当接突起は、前記フレームの前記周壁の前記受入口に隣接する端部に、複数取付けられていることを特徴とする請求項１に記載の切削装置。
【請求項３】
前記カッター手段は、回転可能に前記フレームに保持されており、
また、前記フレームは、
前記周壁の前記内部空間内に深く挿し込まれた端部に接続されたベース部と、
前記周壁の前記受入口側にある端部に接続されたトップ部と、
前記周壁に接続されていると共に、両端はそれぞれ前記ベース部と前記トップ部とに接続されている仕切り板と、を更に有し、
前記ベース部と、前記トップ部と、前記仕切り板と、前記周壁とにより、収容室が画成され、
該収容室内に、
前記カッター手段を回転駆動するモーターと、
前記モーターに給電する電源ユニットと、
前記電源ユニットの前記モーターに対する給電のオンとオフを制御できるスイッチと、を有する駆動手段が配置されていることを特徴とする請求項２に記載の切削装置。
【請求項４】
前記フレームは、前記受入口を経由して前記ハウジングから取り外し可能に構成されており、
前記駆動手段が有する前記スイッチは、前記周壁から突起して前記ハウジングの前記内周面に当接できるように付勢されるレバーを有しており、
また、前記スイッチは、
前記フレームが前記ハウジングから取り外される際、前記レバーは付勢されて前記周壁から突起すると共に、前記電源ユニットからの前記モーターに対する給電を切断するオフ位置にあり、
そして前記フレームが前記内部空間内に収容される際、前記レバーは前記ハウジングの前記内周面に当接すると共に、前記内周面により前記周壁側に押付けられて前記電源ユニットからの前記モーターに対する給電を切断しないオン位置にあるように配置構成されていることを特徴とする請求項３に記載の切削装置。
【請求項５】
前記ハウジングが有する前記受入口の周縁には嵌合溝が凹設されており、
前記フレームには、前記嵌合溝と嵌合できるように突起するブロックが形成されていることを特徴とする請求項４に記載の切削装置。
【請求項６】
前記ベース部には前記トップ部に向かって開口する下ソケットが形成されており、
前記トップ部には、両端に前記下ソケットに臨む開口と、前記ハウジングの前記受入口に臨む開口と、がそれぞれ開けられている上ソケットが形成されており、
前記下ソケットと前記上ソケットとの間に、前記カッター手段が回転可能に保持されていることを特徴とする請求項５に記載の切削装置。
【請求項７】
前記トップ部に形成された前記上ソケット内には、該上ソケットが有する２つの開口の間に移動可能、且つ前記カッター手段の一端が取付けられている摺動枠が配置されており、
該切削装置は更に、
前記ハウジングの前記受入口を封止する蓋手段と、
両端がそれぞれ前記蓋手段と前記摺動枠に当接している圧縮コイルばねと、を備えていることを特徴とする請求項６に記載の切削装置。
【請求項８】
前記蓋手段には、前記トップ部の前記上ソケットの前記受入口に臨む開口に向かって開口する鉛筆挿入口が形成されていることを特徴とする請求項７に記載の切削装置。
【請求項９】
前記電源ユニットは取替え可能な電池を有していることを特徴とする請求項８に記載の切削装置。
【請求項１０】
前記トップ部には、前記収容室内に収容される前記駆動手段の前記電源ユニットが有する電池が露出する電池開口が形成されており、
前記蓋手段には、前記トップ部の前記電池開口に臨む電池取替え口が形成されている上、該電池取替え口を取り外し可能に封止する電池カバーが取付けられていることを特徴とする請求項９に記載の切削装置。
【考案の詳細な説明】
【技術分野】
【０００１】
本考案は切削装置に関し、特に鉛筆を削るための切削装置に関する。
【背景技術】
【０００２】
鉛筆の軸を削って芯を露出させる通称鉛筆削りの従来の切削装置は、例えば鉛筆が挿入できる削り穴を有するハウジングと、該ハウジングの内部に設置されて鉛筆の軸を削るカッターと、該ハウジングに取り外し可能に取り付けられると共に、前記カッターの下側に配置される箱状のケースと、を備えているものである。なお、カッターとしては、通常らせん状の刃などが使用される。
【０００３】
上記の構造によれば、該従来の切削装置に対して、鉛筆の一端部を前記ハウジングの前記削り穴に挿入してから、前記カッターで該端部を削りながら、該鉛筆から削られた削り滓を前記ケースに落として収集し、該鉛筆を削るための作業を終えたら、前記ケースを前記ハウジングから引き出して取り外して、該前記ケースに収集した前記削り滓をまとめて捨てることができる。
【考案の概要】
【考案が解決しようとする課題】
【０００４】
しかしながら、該従来の切削装置は、前記カッターが鉛筆を削る作業において生じる振動により、前記ケースが前記ハウジングから抜けて削り滓をこぼしてしまう恐れがある。
【０００５】
上記問題点に鑑みて、本考案は、削り滓の収集機能を確保できる切削装置の提供を目的とする。
【課題を解決するための手段】
【０００６】
上記目的を達成すべく、本考案の切削装置は、内部空間を囲む内周面を有するハウジングと、前記内部空間内に収容されるように前記ハウジングに取り付けられるフレームと、前記フレームに取り付けられると共に、鉛筆の軸を切削できるカッターと、を備え、前記フレームは、前記内周面に臨む周壁と、前記ハウジングの前記内周面に当接するように前記周壁から突起し、前記フレームを前記ハウジングに位置付けする少なくとも１つの当接突起と、を有している。
【考案の効果】
【０００７】
上記構成によれば、本考案の切削装置は、前記カッターを付けて前記ハウジングの前記内部空間に収容される前記フレームと、前記フレームを前記ハウジングに位置付けして保持する前記当接突起と、を備えているため、前記フレームが前記ハウジングに固く係止されているので、前記内部空間において安定して鉛筆の切削作業を行うことができると同時に、前記フレームが前記ハウジングから取り出さない限り、削り滓が該ハウジングからこぼれ出されることはない。
【図面の簡単な説明】
【０００８】
【図１】本考案の切削装置の実施形態が示される斜視図である。
【図２】本考案の切削装置の実施形態における構造が示される分解斜視図である。
【図３】本考案の切削装置の実施形態におけるフレームが示される斜視図である。
【図４】本考案の切削装置の実施形態における内部構造が示される断面図である。
【図５】本考案の切削装置の実施形態におけるカッターに対する保持が解除されている状態が示される断面図である。
【考案を実施するための形態】
【０００９】
以下、図１〜図５を参照しながら、本考案の切削装置を例示する実施形態について詳しく説明する。図１は本考案の実施形態が示される斜視図である。図２は本考案の実施形態における構造が示される分解斜視図である。図３は本考案の実施形態におけるフレームが示される斜視図である。図４は本考案の実施形態における内部構造が示される断面図である。そして、図５は本考案の実施形態におけるカッターに対する保持が解除されている状態が示される断面図である。
【００１０】
本考案の切削装置は、鉛筆の軸を削って芯を露出させるよう切削するものであり、図２に示すハウジング２と、ハウジング２の内部に取り外し可能に取り付けられるフレーム１と、フレーム１に回転可能且つ取り外し可能に取り付けられると共に、鉛筆の軸を切削できるカッター５００と、フレーム１に設置されている圧縮コイルばね４２０と、カッター５００を回転駆動する駆動手段２００と、駆動手段２００の駆動力をカッター手段５００に伝える伝動手段３００と、フレーム１に取り付けられる蓋手段１５０と、を備えている。
【００１１】
図１に示されるように、本実施形態におけるハウジング２は、両端開口の円筒状に形成され、フレーム１を収容する内部空間２０を囲む内周面２２を有し、前記両端における一端部（図中の上端）の開口が内部空間２０と連通する受入口２４である。更に、受入口２４の周縁には嵌合溝２３が凹設されている。なお、本実施形態はこの構成に限定されることなく、ハウジング２としては、フレーム１を収容できればよく、必ずしも端部に受入口２４が形成される構成である必要はない。
【００１２】
図２に示されるようにフレーム１は、ハウジング２の内部空間２０に合わせた略円柱状に形成され、そして内部空間２０内に収容されるようハウジング２に取り外し可能に取り付けられている。図３に示されるようにフレーム１は、ハウジング２及びフレーム１の中心軸線を中心とする円弧板状に形成された周壁１２５と、周壁１２５の一端部に接続されているベース部１１０と、周壁１２５の他端部に接続されているトップ部１３０と、周壁１２５及びベース部１１０及びトップ部１３０とに接続され、フレーム１のベース部１１０とトップ部１３０との間の空間を仕切る仕切り板１２６と、周壁１２５からハウジング２の内周面２２に当接できるように突起する複数の当接突起１４０と、を有している。
【００１３】
図４に示されるように、ベース部１１０にはトップ部１３０に向かって開口する下ソケット１１２が形成されており、トップ部１３０には、両端に前記下ソケット１１２に臨む下開口１３３１と、ハウジング２の受入口２４に臨む上開口１３３２と、がそれぞれ開けられている上ソケット１３３が形成されており、下ソケット１１２と上ソケット１３３との間に、カッター手段５００が回転可能に保持されている。
【００１４】
駆動手段２００は、カッター手段５００を回転駆動するモーター２２０と、モーター２２０に給電する電源ユニット２１０と、電源ユニット２１０のモーター２２０に対する給電のオン／オフを制御できるスイッチ２３０と、を有している。
【００１５】
図３及び図４に示されるように、仕切り板１２６は、フレーム１のベース部１１０とトップ部１３０との間の空間を、カッター手段５００が回転可能に保持されている収集室３６（図４）と、駆動手段２００のモーター２２０、電源ユニット２１０、及びスイッチ２３０を収容する収容室３２とに仕切る。
【００１６】
また、ベース部１１０は伝動室３１を囲むように中空に形成され、伝動室３１内に収容室３２にある回転駆動するモーター２２０による駆動力を収集室３６にあるカッター手段５００に伝送する伝動手段３００が配置されている。
【００１７】
スイッチ２３０は収容室３２から周壁１２０の外側に突出してハウジング２の内周面２２に当接できるように構成されており、図１と図４に示されるように、フレーム１がハウジング２に取り付けられている際にレバー２３１（図３）は、ハウジング２の内周面２２に当接して該内周面２２により周壁１２５側に押付けられ、図３と図５に示されるように、フレーム１がハウジング２から取り外される際にスイッチ２３０は、収容室３２から周壁１２０の外側に突出するようになっていると共に、ハウジング２の内周面２２に当接して該内周面２２により周壁１２５側に押付けられると、電源ユニット２１０からのモーター２２０に対する給電を切断せずに電気を通すオン状態に設定され、そして収容室３２から周壁１２０の外側に突出すると、電源ユニット２１０からのモーター２２０に対する給電を切断するオフ状態に設定されている。この構成により、フレーム１がハウジング２から取り外されない限り電源ユニット２１０はモーター２２０に対して給電し続け、そしてフレーム１がハウジング２から取り外されると電源ユニット２１０による給電は停止される。即ち、フレーム１がハウジング２から取り外された状態における安全性と、オン／オフの切替操作が不要な利便性を兼ね備えている。
【００１８】
なお、スイッチ２３０としては、ハウジング２の内周面２２により動かされるタイプのスイッチの他、光や磁場の変化を感知するタイプのスイッチなどに適宜変更するのも可能であり、本実施形態に限定されることはない。
【００１９】
伝動手段３００は、ベース部１１０の内部に配置されてモーター２２０により回転駆動される複数のギア３１１と、ベース部１１０から下ソケット１１２に突出し、各ギア３１１及びモーター２２０により回転駆動されると共に、カッター手段５００を回転駆動する出力軸３１２と、を有している。
【００２０】
トップ部１３０は、ハウジング２の受入口２４側を覆うように配置され、収容室３２と連通する電池開口３５（図２を参照）が開けられている。
【００２１】
各当接突起１４０は、摩擦力が高いゴムなどの材料により作成されたものであり、そして周壁１２５の凸面側においてハウジング２の受入口２４に隣接する端部から内周面２２に当接するよう突出して、フレーム１をハウジング２に位置付けするができる。なお、本実施形態に制限されず、当接突起１４０の数量は少なくとも１つがあれば良く、そして、フレーム１をハウジング２に位置付けできるように周壁１２５からの突起位置も適宜変更可能である。
【００２２】
図２に示すように、トップ部１３０に形成された上ソケット１３３内に、該上ソケット１３３が有する上開口１３３２と下開口１３３１との間に移動可能な摺動枠４１０が配置されている。
【００２３】
図３及び図４に示すように、カッター手段５００は、摺動枠４１０に取付けられていると共に、上ソケット１３３から下ソケット１１２側へ突出する上プラグ５２０と、伝動手段３００の出力軸３１２と共に回転できるように出力軸３１２に取付けられている下プラグ５１０と、上プラグ５２０と下プラグ５１０との間に取り外し可能なカッター本体５３０とを有している。
【００２４】
蓋手段１５０は、ハウジング２の受入口２４を封止できるように構成されており、メインカバー１５１と、トップ部１３０の電池開口３５に対応し、メインカバー１５１に取り外し可能に取り付けられている電池カバー１５５とを有している。
【００２５】
更に、蓋手段１５０のメインカバー１５１とトップ部１３０との間に、一端部が摺動枠４１０を下ソケット１１２へ当接するように設置されている圧縮コイルばね４２０が取り付けられている。なお、摺動枠４１０には、上ソケット１３３と連通するように、上開口１３３２側から下開口側１３３１へ貫通する鉛筆通過路４１１が開けられている。
【００２６】
メインカバー１５１は、トップ部１３０にある上ソケット１３３の上開口１３３２を覆うと共に、保持手段４００の圧縮コイルばね４２０にある前記一端部と反対側の他端部に当接されるように、トップ部１３０に取付けられている。また、メインカバー１５１は、ハウジング２の嵌合溝２３と嵌合できるように突起するブロック１５２を有し、そして上ソケット１３３と連通するようその上開口１３３２に向かって開口する鉛筆挿入口１５３と、トップ部１３０の電池開口３５に臨む電池取替え口１５４（図２を参照）とが設けられている。
【００２７】
一方、図１と図２に示されるように電池カバー１５５は、金属により形成され、そして、トップ部１３０（図２）にある電池開口３５を覆って収容室３２に設置さている各電池２１１を電気的に直列接続すると共に、メインカバー１５１の電池取替え口１５４を取り外し可能に封止するよう取付けられている。
【００２８】
すなわち、図３に示すように２つの電池２１１は、一方の電池２１１のプラス側が上になるように配置され（図３において右側）、他方の電池２１１のマイナス側が上になるように配置され（図３において左側）、金属により形成された電池カバー１５５によって、これら２つの電池のプラス側端子とマイナス側端子を直列に接続する。
【００２９】
ちなみに、本実施形態におけるメインカバー１５１はプラスチックなどにより形成されており、一方、各電池２１１と電気的に接続するための金属からなる電池カバー１５５は、メインカバー１５１より厚みが薄い薄板に作製されて、メインカバー１５１とトップ部１３０との間に挟まれていると共に、電池取替え口１５４から露出している。この設計によれば、メインカバー１５１と電池カバー１５５の両方の材料コストの節約になる上、電池カバー１５５の金属による装飾効果をもたらすこともできる。
【００３０】
上記の構造によれば、本考案の切削装置は、図１と図４に示されるように、フレーム１がハウジング２に取り付けられると共に、駆動手段２００（図４）のスイッチ２３０がオン状態となってモーター２２０を作動してから、伝動手段３００を介して保持されているカッター手段５００を回転させることができる。
【００３１】
次にこのオン状態で、鉛筆（図示せず）の先端部を蓋手段１５０の鉛筆挿入口１５３から、フレーム１の上ソケット１３３と上ソケット１３３の内部にある摺動枠４１０の鉛筆通過路４１１を経由して、回転中のカッター手段５００にある削り穴５３０に差し込むと、該鉛筆の軸はカッター手段５００に削られる。そして、カッター手段５００が該鉛筆の軸から切り落とした削り滓は、ハウジング２の内部空間２０において内周面２２とフレーム１により囲んだ収集室３６に収集される。
【００３２】
ここでは、フレーム１にある各当接突起１４０とハウジング２の内周面２２との当接による摩擦力、そして蓋手段１５０のブロック１５２とハウジング２の嵌合溝２３との嵌合によって、フレーム１とハウジング２とは、互いに回転不能に固く係止されているので、モーター２２０の作動やカッター手段５００が鉛筆の軸を切削する際において生じる振動により、互いの接合構造が緩まることにより両者が分解されて削り滓がこぼれてしまうことがないよう、有効に収集室３６の機能を確保できる。
【００３３】
そして、前記鉛筆の切削作業が終えたら、該鉛筆を鉛筆挿入口１５３から抜き出し、フレーム１をハウジング２の受入口２４から押し出して、内部空間２０にある削り滓をまとめて捨てることができる。
【００３４】
また、取替えや別の場所に収納するなどの理由でカッター手段５００をフレーム１から取り外す場合には、図５に示されるように、フレーム１をハウジング２から取り外した上、駆動手段２００及びカッター手段５００が停止している状態においてカッター手段５００を、摺動枠４１０ごと上ソケット１３３内へ移動して、その下プラグ５１０を下ソケット１１２及び回転座３２０から抜き出してから、摺動枠４１０から取り外すことで、上ソケット１３３と下ソケット１１２の両方からの保持を解除できる。
【００３５】
ちなみに、本考案の切削装置は、駆動手段２００と伝動手段３００を取り除き、そしてカッター手段５００が上ソケット１３３と下ソケット１１２で回転不能に保持されるよう適宜変更することも可能である。そうすると、カッター手段５００の削り穴５３０に挿入している鉛筆の方を手動で回転させて切削を行うと良い。
【００３６】
上記の実施形態によれば、本考案の切削装置は、カッター手段５００を付けてハウジング２の内部空間２０に収容されるフレーム１と、フレーム１をハウジング２に位置付けして保持する当接突起１４０とを備え、更にハウジング２の嵌合溝２３とを嵌合できるブロック１５２を有する蓋手段１５０も備えているため、フレーム１がハウジング２に固く係止されているので、内部空間２０において安定して鉛筆の切削作業を行うことができると同時に、該鉛筆からの削り滓がハウジング２からこぼれ出ないように収集機能を確保することができる。
【００３７】
以上、本考案の好ましい実施形態を説明したが、本考案はこれに限定されるものではなく、その要旨を逸脱しない範囲で種々変更可能である。
【産業上の利用可能性】
【００３８】
上記構成によれば、本考案の切削装置は、前記カッターを付けて前記ハウジングの前記内部空間に収容される前記フレームと、前記フレームを前記ハウジングに位置付けして保持する前記当接突起と、を備えているため、前記フレームが前記ハウジングに固く係止されているので、前記内部空間において安定に鉛筆の切削作業を行う同時に、前記フレームが前記ハウジングから取り出さない限り、削り滓が該ハウジングからこぼれ出されることはない優れた切削装置を提供することができる。
【符号の説明】
【００３９】
１    フレーム
１１０    ベース部
１１２    下ソケット
１２５    周壁
１２６    仕切り板
１３０    トップ部
１３３    上ソケット
１３３１    下開口
１３３２    上開口
１４０    当接突起
１５０    蓋手段
１５１    メインカバー
１５２    ブロック
１５３    鉛筆挿入口
１５４    電池取替え口
１５５    電池カバー
２    ハウジング
２０    内部空間
２２    内周面
２３    嵌合溝
２４    受入口
２００    駆動手段
２２０    モーター
２１０    電源ユニット
２１１    電池
２３０    スイッチ
２３１    レバー
３１    伝動室
３２    収容室
３５    電池開口
３６    収集室
３００    伝動手段
３１１    ギア
３１２    出力軸
４１０    摺動枠
４１１    鉛筆通過路
４２０    圧縮コイルばね
５００    カッター手段
５１０    下プラグ
５２０    上プラグ
５３０    カッター本体
【図１】
0003211331.tif 000003
【図２】
0003211331.tif 000004
【図３】
0003211331.tif 000005
【図４】
0003211331.tif 000006
【図５】
0003211331.tif 000007